(57)【要約】【課題】本発明は洗浄に便利である水晶シャンデリアを開示した。【解決手段】頂壁と前記頂壁の中に位置している伝動チャンバを含み、前記伝動チャンバの中には下端が外部空間の中に位置しているライト柱が設けられ、前記ライト柱の下端にはライトホルダーと前記ライトホルダーの上端面に設けられた二つの水晶ライトとが設けられ、水晶ライトの洗浄がより便利で安全になり、人工で部屋の頂部に取り付けられた水晶ライトを洗浄する必要がなく、作業員の安全を保証し、また下で洗浄するため、作業員がより細かくクリーニングすることができ、クリーニング効果がよりよくなる。【選択図】図１
2020177895.tif 000002
【特許請求の範囲】
【請求項１】
正面視で、頂壁と前記頂壁の中に位置している伝動チャンバを含み、前記伝動チャンバの中には下端が外部空間の中に位置しているライト柱が設けられ、前記ライト柱の下端にはライトホルダーと前記ライトホルダーの上端面に設けられた二つの水晶ライトとが設けられ、前記ライト柱の中には前記水晶ライトを洗浄する時に前記水晶ライトを支持する支持機構が設けられ、前記支持機構は下方に開口した昇降チャンバを含み、前記昇降チャンバの中には支持柱が設けられ、前記支持柱の下端には水晶ライトを支持する時に固定などの作用を果たすことができる吸盤が設けられ、前記支持柱の上端には昇降板が設けられ、前記昇降板の中には二つの押し出し溝が設けられ、前記押し出し溝の中には前記ライト柱と連結されることができる押し出しブロックが設けられ、前記押し出し溝の中には前記押し出しブロックを復帰させることができる押し出しバネが設けられ、前記伝動チャンバの中には前記ライト柱の上下運動を制御する伝動機構が設けられ、前記伝動機構はモーターと前記モーターと動力が伝達できるように連結された伝動軸とを含み、前記伝動チャンバの右端壁の中には移動チャンバが設けられ、前記伝動軸にはローラーがスライドできるように連結され、前記ローラーには二つの前記押し出しブロックと連結されたロープが周設され、前記ロープの下端が前記ライト柱を貫通しており、前記伝動チャンバの中には移動ブロックが設けられ、前記移動ブロックの中には左方に開口した位置制限溝が設けられ、前記位置制限溝の上下端壁がいずれも前記伝動チャンバに連通しており、前記ライト柱の上端が前記位置制限溝の中に位置しており、且つ前記ライト柱の上端には前記ライト柱の降下を制限する位置制限ブロックが固定されており、前記伝動軸の右端には右端が前記移動チャンバの中に位置しているねじ山ブロックがねじ山によって連結され、前記ねじ山ブロックの左端には二つのバネ溝が設けられ、前記ローラーの右端には二つの右方に開口した収納溝が設けられ、前記バネ溝の中には左端が前記収納溝の中に位置することができるバネブロックが設けられ、前記バネ溝の中には前記バネブロックを復帰させることができる伸縮バネが設けられ、前記バネ溝の右端壁には電磁石が設けられ、下側の前記バネ溝の右端壁の中には下方に開口した昇降溝が設けられ、前記昇降溝の中には上げ板と前記上げ板を復帰させることができる二つの上げバネが設けられ、前記上げ板の上端にはバネブロックの右端と連結されたチェーンが設けられ、前記チェーンの上端が下側の前記バネ溝の上端壁を貫通しており、前記昇降溝の右端壁の中には右方に開口した環状チャンバが設けられ、前記環状チャンバの中には環状ブロックが設けられ、前記環状ブロックの右端には前記移動ブロックの右端と連結された細ロープが設けられ、前記細ロープの右端が前記伝動チャンバの右端壁を貫通しており、装置は前記ローラーの回転を制御することにより前記水晶ライトの降下を制御し、最終的に前記支持機構により前記水晶ライトを支持し、洗浄に便利であることを特徴とする洗浄に便利である水晶シャンデリア。
【請求項２】
前記支持機構は前記昇降チャンバの両側端壁の中に位置している支持溝も含み、前記ライトホルダーの中には下方に開口しており、且つ前記昇降チャンバに連通している回転溝も設けられ、前記回転溝の前後端壁の間には回転軸が設けられ、前記回転軸の中には前記昇降チャンバを密封する回転板が設けられ、前記回転板の右端が前記昇降チャンバの中に位置しており、前記回転板と前記回転軸との間にはトーションバネにより連結され、前記支持機構は前記吸盤を地面に固定でき、また前記押し出しブロックが前記支持溝の中に位置しており、これにより前記水晶ライトを支持することを特徴とする請求項１に記載の洗浄に便利である水晶シャンデリア。
【請求項３】
前記伝動機構は上端が前記伝動チャンバの上端壁に固定された弾性紐も含み、前記弾性紐の下端が前記位置制限ブロックの上端と連結され、前記伝動チャンバの中には前記移動ブロックを復帰させることができる移動バネが設けられ、前記伝動チャンバの下端壁の中には上方に開口したスライドチャンバが設けられ、前記スライドチャンバの中にはスライドブロックが設けられ、前記スライドブロックの上端には前記移動ブロックと連結された連結ロッドが設けられ、前記移動チャンバの下端壁には上方に開口したバネチャンバが設けられ、前記バネチャンバの中には前記ねじ山ブロックの回転を制御できる制御ブロックが設けられ、前記制御ブロックの上端が前記昇降溝の中に位置しており、前記バネチャンバの中には前記位置制限ブロックを復帰させることができる圧縮バネが設けられ、前記伝動機構は前記移動ブロックの移動と前記ローラーの回転を制御でき、これにより前記ライト柱の昇降を制御することを特徴とする請求項１に記載の洗浄に便利である水晶シャンデリア。
【発明の詳細な説明】
【技術分野】
【０００１】
本発明は水晶ライト分野を取り上げて、具体的には洗浄に便利である水晶シャンデリアである。
【背景技術】
【０００２】
現段階、部屋の頂部に取り付けられた水晶ライトをクリーニングする時、ほとんどのは人工ではしごに登って水晶ライトをクリーニングし、作業員の作業危険性を増やす一方、クリーニングにも不便であり、鳥箒を使って水晶ライトをクリーニングすることもあるが、これにより水晶ライトが落ちて危険を招きやすく、またクリーニング効果が高くない。
【先行技術文献】
【特許文献】
【０００３】
【特許文献１】中国特許出願公開第１０８４８８７１４号明細書
【発明の概要】
【発明が解決しようとする課題】
【０００４】
本発明の目的は洗浄に便利である水晶シャンデリアを提供し、それは上記の現在の技術中の問題を解決できる。
【課題を解決するための手段】
【０００５】
上記の課題を解決するため、本発明は以下の技術プランを採用する：本発明の洗浄に便利である水晶シャンデリアは、頂壁と前記頂壁の中に位置している伝動チャンバを含み、前記伝動チャンバの中には下端が外部空間の中に位置しているライト柱が設けられ、前記ライト柱の下端にはライトホルダーと前記ライトホルダーの上端面に設けられた二つの水晶ライトとが設けられ、前記ライト柱の中には前記水晶ライトを洗浄する時に前記水晶ライトを支持する支持機構が設けられ、前記支持機構は下方に開口した昇降チャンバを含み、前記昇降チャンバの中には支持柱が設けられ、前記支持柱の下端には水晶ライトを支持する時に固定などの作用を果たすことができる吸盤が設けられ、前記支持柱の上端には昇降板が設けられ、前記昇降板の中には二つの押し出し溝が設けられ、前記押し出し溝の中には前記ライト柱と連結されることができる押し出しブロックが設けられ、前記押し出し溝の中には前記押し出しブロックを復帰させることができる押し出しバネが設けられ、前記伝動チャンバの中には前記ライト柱の上下運動を制御する伝動機構が設けられ、前記伝動機構はモーターと前記モーターと動力が伝達できるように連結された伝動軸とを含み、前記伝動チャンバの右端壁の中には移動チャンバが設けられ、前記伝動軸にはローラーがスライドできるように連結され、前記ローラーには二つの前記押し出しブロックと連結されたロープが周設され、前記ロープの下端が前記ライト柱を貫通しており、前記伝動チャンバの中には移動ブロックが設けられ、前記移動ブロックの中には左方に開口した位置制限溝が設けられ、前記位置制限溝の上下端壁がいずれも前記伝動チャンバに連通しており、前記ライト柱の上端が前記位置制限溝の中に位置しており、且つ前記ライト柱の上端には前記ライト柱の降下を制限する位置制限ブロックが固定されており、前記伝動軸の右端には右端が前記移動チャンバの中に位置しているねじ山ブロックがねじ山によって連結され、前記ねじ山ブロックの左端には二つのバネ溝が設けられ、前記ローラーの右端には二つの右方に開口した収納溝が設けられ、前記バネ溝の中には左端が前記収納溝の中に位置することができるバネブロックが設けられ、前記バネ溝の中には前記バネブロックを復帰させることができる伸縮バネが設けられ、前記バネ溝の右端壁には電磁石が設けられ、下側の前記バネ溝の右端壁の中には下方に開口した昇降溝が設けられ、前記昇降溝の中には上げ板と前記上げ板を復帰させることができる二つの上げバネが設けられ、前記上げ板の上端にはバネブロックの右端と連結されたチェーンが設けられ、前記チェーンの上端が下側の前記バネ溝の上端壁を貫通しており、前記昇降溝の右端壁の中には右方に開口した環状チャンバが設けられ、前記環状チャンバの中には環状ブロックが設けられ、前記環状ブロックの右端には前記移動ブロックの右端と連結された細ロープが設けられ、前記細ロープの右端が前記伝動チャンバの右端壁を貫通しており、装置は前記ローラーの回転を制御することにより前記水晶ライトの降下を制御し、最終的に前記支持機構により前記水晶ライトを支持し、洗浄に便利である。
【０００６】
優選の技術プランとして、前記支持機構は前記昇降チャンバの両側端壁の中に位置している支持溝も含み、前記ライトホルダーの中には下方に開口しており、且つ前記昇降チャンバに連通している回転溝も設けられ、前記回転溝の前後端壁の間には回転軸が設けられ、前記回転軸の中には前記昇降チャンバを密封する回転板が設けられ、前記回転板の右端が前記昇降チャンバの中に位置しており、前記回転板と前記回転軸との間にはトーションバネにより連結され、前記支持機構は前記吸盤を地面に固定でき、また前記押し出しブロックが前記支持溝の中に位置しており、これにより前記水晶ライトを支持する。
【０００７】
優選の技術プランとして、前記伝動機構は上端が前記伝動チャンバの上端壁に固定された弾性紐も含み、前記弾性紐の下端が前記位置制限ブロックの上端と連結され、前記伝動チャンバの中には前記移動ブロックを復帰させることができる移動バネが設けられ、前記伝動チャンバの下端壁の中には上方に開口したスライドチャンバが設けられ、前記スライドチャンバの中にはスライドブロックが設けられ、前記スライドブロックの上端には前記移動ブロックと連結された連結ロッドが設けられ、前記移動チャンバの下端壁には上方に開口したバネチャンバが設けられ、前記バネチャンバの中には前記ねじ山ブロックの回転を制御できる制御ブロックが設けられ、前記制御ブロックの上端が前記昇降溝の中に位置しており、前記バネチャンバの中には前記位置制限ブロックを復帰させることができる圧縮バネが設けられ、前記伝動機構は前記移動ブロックの移動と前記ローラーの回転を制御でき、これにより前記ライト柱の昇降を制御する。
【発明の効果】
【０００８】
本装置は構造が簡単で、操作が便利であり、水晶ライトの洗浄がより便利で安全になり、人工で部屋の頂部に取り付けられた水晶ライトを洗浄する必要がなく、作業員の安全を保証し、また下で洗浄するため、作業員がより細かくクリーニングすることができ、クリーニング効果がよりよくなる。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の洗浄に便利である水晶シャンデリアの全体断面正面構成略図
【図２】図２は本発明の洗浄に便利である水晶シャンデリアの昇降板のところの構造の全体断面正面拡大略図
【図３】図３は本発明の洗浄に便利である水晶シャンデリアの回転溝のところの構造の全体断面正面拡大略図
【図４】図４は本発明の洗浄に便利である水晶シャンデリアの伝動機構の部分断面正面拡大略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜４を参照し、本発明の洗浄に便利である水晶シャンデリアは、頂壁１と前記頂壁１の中に位置している伝動チャンバ３を含み、前記伝動チャンバ３の中には下端が外部空間の中に位置しているライト柱９が設けられ、前記ライト柱９の下端にはライトホルダー８と前記ライトホルダー８の上端面に設けられた二つの水晶ライト７とが設けられ、前記ライト柱９の中には前記水晶ライト７を洗浄する時に前記水晶ライト７を支持する支持機構４５が設けられ、前記支持機構４５は下方に開口した昇降チャンバ１１を含み、前記昇降チャンバ１１の中には支持柱１０が設けられ、前記支持柱１０の下端には水晶ライトを支持する時に固定などの作用を果たすことができる吸盤１２が設けられ、前記支持柱１０の上端には昇降板３９が設けられ、前記昇降板３９の中には二つの押し出し溝４１が設けられ、前記押し出し溝４１の中には前記ライト柱９と連結されることができる押し出しブロック４０が設けられ、前記押し出し溝４１の中には前記押し出しブロック４０を復帰させることができる押し出しバネ３８が設けられ、前記伝動チャンバ３の中には前記ライト柱９の上下運動を制御する伝動機構４６が設けられ、前記伝動機構４６はモーター２と前記モーター２と動力が伝達できるように連結された伝動軸３６とを含み、前記伝動チャンバ３の右端壁の中には移動チャンバ２６が設けられ、前記伝動軸３９にはローラー３５がスライドできるように連結され、前記ローラー３５には二つの前記押し出しブロック４と連結されたロープ３７が周設され、前記ロープ３７の下端が前記ライト柱９を貫通しており、前記伝動チャンバ３の中には移動ブロック４８が設けられ、前記移動ブロック４８の中には左方に開口した位置制限溝５が設けられ、前記位置制限溝５の上下端壁がいずれも前記伝動チャンバ３に連通しており、前記ライト柱９の上端が前記位置制限溝５の中に位置しており、且つ前記ライト柱９の上端には前記ライト柱９の降下を制限する位置制限ブロック６が固定されており、前記伝動軸３６の右端には右端が前記移動チャンバ２６の中に位置しているねじ山ブロック３０がねじ山によって連結され、前記ねじ山ブロック３０の左端には二つのバネ溝３２が設けられ、前記ローラー３５の右端には二つの右方に開口した収納溝３４が設けられ、前記バネ溝３２の中には左端が前記収納溝３４の中に位置することができるバネブロック３３が設けられ、前記バネ溝３２の中には前記バネブロック３３を復帰させることができる伸縮バネ４４が設けられ、前記バネ溝３２の右端壁には電磁石３１が設けられ、下側の前記バネ溝３２の右端壁の中には下方に開口した昇降溝２９が設けられ、前記昇降溝２９の中には上げ板２７と前記上げ板２７を復帰させることができる二つの上げバネ２８が設けられ、前記上げ板２７の上端にはバネブロック３３の右端と連結されたチェーン２０が設けられ、前記チェーン２０の上端が下側の前記バネ溝３２の上端壁を貫通しており、前記昇降溝２９の右端壁の中には右方に開口した環状チャンバ４７が設けられ、前記環状チャンバ４７の中には環状ブロック２５が設けられ、前記環状ブロック２５の右端には前記移動ブロック４８の右端と連結された細ロープ２４が設けられ、前記細ロープ２４の右端が前記伝動チャンバ３の右端壁を貫通しており、装置は前記ローラー３５の回転を制御することにより前記水晶ライト７の降下を制御し、最終的に前記支持機構４５により前記水晶ライト７を支持し、洗浄に便利である。
【００１３】
有益的には、前記支持機構４５は前記昇降チャンバ１１の両側端壁の中に位置している支持溝１５も含み、前記ライトホルダー８の中には下方に開口しており、且つ前記昇降チャンバ１１に連通している回転溝１３も設けられ、前記回転溝１３の前後端壁の間には回転軸４２が設けられ、前記回転軸４２の中には前記昇降チャンバ１１を密封する回転板１４が設けられ、前記回転板１４の右端が前記昇降チャンバ１１の中に位置しており、前記回転板１４と前記回転軸４２との間にはトーションバネ４３により連結され、前記支持機構４５は前記吸盤１２を地面に固定でき、また前記押し出しブロック４０が前記支持溝１５の中に位置しており、これにより前記水晶ライト７を支持する。
【００１４】
有益的には、前記伝動機構４６は上端が前記伝動チャンバ３の上端壁に固定された弾性紐４も含み、前記弾性紐４の下端が前記位置制限ブロック６の上端と連結され、前記伝動チャンバ３の中には前記移動ブロック４８を復帰させることができる移動バネ１９が設けられ、前記伝動チャンバ３の下端壁の中には上方に開口したスライドチャンバ１８が設けられ、前記スライドチャンバ１８の中にはスライドブロック１６が設けられ、前記スライドブロック１６の上端には前記移動ブロック４８と連結された連結ロッド１７が設けられ、前記移動チャンバ２６の下端壁には上方に開口したバネチャンバ２２が設けられ、前記バネチャンバ２２の中には前記ねじ山ブロック３０の回転を制御できる制御ブロック２３が設けられ、前記制御ブロック２３の上端が前記昇降溝２９の中に位置しており、前記バネチャンバ２２の中には前記位置制限ブロック２３を復帰させることができる圧縮バネ２１が設けられ、前記伝動機構４６は前記移動ブロック４８の移動と前記ローラー３５の回転を制御でき、これにより前記ライト柱９の昇降を制御する。
【００１５】
以下、図１〜４と上記に説明した本出願の洗浄に便利である水晶シャンデリアの具体的な構成とを参照し、洗浄に便利である水晶シャンデリアの使用方法を詳しく説明する：
【００１６】
水晶ライト７を洗浄するとき、モーター２が始動して伝動軸３６を回転させ、これによりねじ山ブロック３０を左へ運動させ、細ロープ２４の伝動により移動ブロック４８を右へ移動させ、バネブロック３３の左端とローラー３５の右端とが当接する時、伸縮バネ４４が圧縮され、これによりチェーン２０が緩くなり、これにより上げ板２７が上げバネ２８の作用により制限ブロック２３を昇降溝２９から押し出し、制限ブロック２３の上端が昇降溝２９から離れ、螺旋ブロック３０が制限を失い、ねじ山ブロック３０が回転し、これによりバネブロック３３の左端が収納溝３４の中に入り、バネブロック３３が復帰した距離が制限ブロック２３の上端に再びねじ山ブロック３０を制限する時に、ねじ山ブロック３０が左へ運動して再び伸縮バネ４４を圧縮し、位置制限ブロック２３を昇降溝２９から離れさせる。
【００１７】
ねじ山ブロック３０が回転してローラー３５を回転させ、ロープ３７が緩くなり、移動ブロック４８が右へ運動し、位置制限ブロック６とライト柱９とが制限を失い、ライト柱９が降下し、弾性紐４が伸び、弾性紐４が限界まで伸びる時に、ライト柱９が降下しなく、ローラー３５が続けて回転し、吸盤１２の下端が地面に吸着するまで昇降板３９と、支持柱１０と、吸盤１２とを降下させ、その時押し出しバネ３が押し出しブロック４０を押し出し、支持溝１５の中に入ってライト柱９を支持し、これにより洗浄が便利となる。
【００１８】
装置を復帰させる時、モーター２が反方向に回転し、支持機構４５が上へ運動し、ロープ３７が押し出しブロック４０を復帰させ、同時にライト柱９を上へ運動連動させ、ライト柱９が復帰した後に電磁石３１が作動してバネブロック３３を右へ運動させ、バネブロック３３の右端が収納溝３４から離れ、チェーン２０の伝動により、上げ板２７が復帰し、ねじ山ブロック３０の回転と共に、制限ブロック２３が再び昇降溝２９の中に入り、これによりねじ山ブロック３０を復帰させ、これにより細ロープ２４が緩くなり、移動ブロック４８が移動バネ１９の作用により復帰し、移動ブロック４８を復帰させた後、電磁石３１が作動しなく、バネブロック３３が伸縮バネ４４の作用により復帰し、バネブロック３３が復帰している時、上げ板２７が一回下降し上昇し、装置が復帰する。
【００１９】
本発明の有益効果は：本装置は構造が簡単で、操作が便利であり、水晶ライトの洗浄がより便利で安全になり、人工で部屋の頂部に取り付けられた水晶ライトを洗浄する必要がなく、作業員の安全を保証し、また下で洗浄するため、作業員がより細かくクリーニングすることができ、クリーニング効果がよりよくなる。
【００２０】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020177895.tif 000003
【図２】
2020177895.tif 000004
【図３】
2020177895.tif 000005
【図４】
2020177895.tif 000006